(57)【要約】【課題】スライドショー表示にどのような画像データが選択されても、より確実に焼き付き防止を実現する。【解決手段】制御部８は、スライドショー表示に先だって、ユーザに選択された複数の画像データの各々の各領域の各色の値Ａ（画素値）を算出する。制御部８は、スライドショー表示の実行中に、画像データを切り替える度に、分割した領域毎に、表示した画像データの値Ａ（画素値）を積算していき、分割した領域のいずれかの領域において、値Ａ（画素値）の積算値が所定の閾値を越えると、その領域における値Ａ（画素値）の積算値の増加を抑えるように、あるいは減少するような値Ａを有する画像データが次に表示されるように、スライドショー表示に用いる複数の画像データを他の画像データに入れ換える。【選択図】図１
2011128505.tif 000002
【特許請求の範囲】
【請求項１】
複数の画像データを順次切り替えて表示部にスライドショー表示させる画像表示装置であって、
複数の画像データを記憶する記憶手段と、
前記複数の画像データの各々の各画素値を算出する算出手段と、
前記複数の画像データを所定の順番で順次切り替えて前記表示部にスライドショー表示する表示制御手段と、
前記表示制御手段により画像データが切り替えられる度に、各画像データの各画素値を積算する積算手段と、
前記積算手段により積算された、前記各画素値の積算値が所定の閾値を越えたか否かを判断する判断手段と、
前記判断手段によりいずれかの画素の積算値が所定の閾値を越えたと判断された場合、スライドショー表示に用いる複数の画像データを他の画像データに入れ換える変更手段と
を備えることを特徴とする画像表示装置。
【請求項２】
前記判断手段によりいずれかの画素の積算値が所定の閾値を越えたと判断された場合、前記算出手段により算出された、スライドショー表示される残りの画像データの各画素値に基づいて、該当画素の積算値が増加しないような画像データが存在するか否かを判断する画像有無判断手段を更に具備し、
前記変更手段は、該当画素の積算値が所定の閾値を越えたと判断され、かつ、前記画像判断手段により該当画像の積算値が増加しないような画像データが存在しないと判断された場合に、前記記憶手段に記憶されている前記複数の画像データを他の画像データに入れ換えることを特徴とする請求項１に記載の画像表示装置。
【請求項３】
前記変更手段は、前記記憶手段に記憶されている前記複数の画像データを他の画像データに入れ換えることに代えて、スライドショー表示される残りの画像データの順番を変更することを特徴とする請求項１または２に記載の画像表示装置。
【請求項４】
前記変更手段は、前記記憶手段に記憶されている前記複数の画像データを他の画像データに入れ換えることに代えて、スライドショー表示される残りの画像データを切り替える際の切り替え効果を変更することを特徴とする請求項１または２に記載の画像表示装置。
【請求項５】
前記変更手段は、前記記憶手段に記憶されている前記複数の画像データを他の画像データに入れ換えることに代えて、スライドショー表示における順番に、単色の画像データを挿入することを特徴とする請求項１または２に記載の画像表示装置。
【請求項６】
前記算出手段は、前記複数の画像データの各々を分割した領域毎に、前記複数の画像データの各々の画素値を算出し、
前記積算手段は、前記表示制御手段により画像データが切り替えられる度に、前記分割された領域毎に、各画像データの画素値を積算し、
前記判断手段は、前記分割された領域毎に、前記積算手段により積算された前記画素値の積算値が所定の閾値を越えたか否かを判断する
ことを特徴とする請求項１ないし５のいずれかに記載の画像表示装置。
【請求項７】
前記判断手段は、所定の閾値として、第１の閾値、第２の閾値（第１の閾値＞第２の閾値）を設け、前記分割された領域毎に、前記積算手段により積算された前記各画素値の積算値が第１の閾値を越えるか、第２の閾値以下になるかを判断し、
前記変更手段は、前記判断手段により、前記分割された領域毎に、前記積算手段により積算された前記各画素値の積算値が前記第１の閾値を越えた場合、前記記憶手段に記憶されている前記複数の画像データを他の画像データに入れ換え、その後、前記第２の閾値以下になるまでは、スライドショー表示における画像データの入れ換えを継続し、前記第２の閾値以下になった時点で、前記入れ換えられた画像データをスライドショー表示対象として前記記憶手段に戻す
ことを特徴とする請求項１ないし６のいずれかに記載の画像表示装置。
【請求項８】
スライドショー表示が開始されてからの経過時間を計時し、該経過時間が所定の時間範囲を超えた場合に、前記分割された領域毎の画素値の積算値をクリアするクリア手段を更に備えることを特徴とする請求項１ないし７のいずれかに記載の画像表示装置。
【請求項９】
複数の画像データを順次切り替えて表示部にスライドショー表示させる画像表示装置であって、
前記複数の画像データの各々の各画素値を算出するステップと、
前記複数の画像データを所定の順番で順次切り替えて前記表示部にスライドショー表示するステップと、
前記スライドショー表示で画像データが切り替えられる度に、各画像データの各画素値を積算するステップと、
前記各画素値の積算値が所定の閾値を越えたか否かを判断するステップと、
いずれかの画素の積算値が所定の閾値を越えたと判断された場合、スライドショー表示に用いる複数の画像データを他の画像データに入れ換えるステップと
を含むことを特徴とする画像表示方法。
【請求項１０】
複数の画像データを順次切り替えて表示部にスライドショー表示させる画像表示装置のコンピュータに、
予め記憶部に記憶されている複数の画像データの各々の各画素値を算出する算出機能、
前記複数の画像データを所定の順番で順次切り替えて前記表示部にスライドショー表示する表示制御機能、
前記スライドショー表示で画像データが切り替えられる度に、各画像データの各画素値を積算する積算機能、
前記各画素値の積算値が所定の閾値を越えたか否かを判断する判断機能、
いずれかの画素の積算値が所定の閾値を越えたと判断された場合、スライドショー表示に用いる複数の画像データを他の画像データに入れ換える変更機能
を実現させることを特徴とするプログラム。
【発明の詳細な説明】
【技術分野】
【０００１】
本発明は、複数の画像データをスライドショー表示する画像表示装置、画像表示方法、及びプログラムに関する。
【背景技術】
【０００２】
近年、内蔵されたメモリや、カードスロットに装着された外部記録媒体に記憶されている複数の画像データを、所定のＢＧＭとともに、所定の順序に従って、一定時間ずつ、様々な切り替え効果を付与して、切り替えて表示するスライドショー表示する画像表示装置（デジタルフォトフレーム）が知られている（例えば、特許文献１参照）。
【先行技術文献】
【特許文献】
【０００３】
【特許文献１】特開２００１−６７００４号公報
【発明の概要】
【発明が解決しようとする課題】
【０００４】
しかしながら、上記従来技術によるスライドショー表示では、あまりに偏った画像データばかりが選択された場合などには、画面上に同じような色合いの画像データが表示されることになり、画面上に焼き付きが生じる可能性があるという問題がある。
【０００５】
ところで、パーソナルコンピュータなどでは、入力装置からの入力がない状況において、同一の画面が長時間表示されることで生じる焼き付きを防止するために、上述したような画像データを切り替えて表示するスライドショー表示を行う場合がある。
【０００６】
しかしながら、焼き付きを防止するためにスライドショー表示を行う場合であっても、上述したように、偏った画像データばかりが選択された場合などには、画面上に同じような色合いの画像データが表示されることになり、焼き付きを防止することができないという問題がある。
【０００７】
そこで本発明は、どのような画像データが選択されても、より確実に焼き付き防止を実現することができる画像表示装置、画像表示方法、及びプログラムを提供することを目的とする。
【課題を解決するための手段】
【０００８】
上記目的達成のため、請求項１記載の発明は、複数の画像データを順次切り替えて表示部にスライドショー表示させる画像表示装置であって、複数の画像データを記憶する記憶手段と、前記複数の画像データの各々の各画素値を算出する算出手段と、前記複数の画像データを所定の順番で順次切り替えて前記表示部にスライドショー表示する表示制御手段と、前記表示制御手段により画像データが切り替えられる度に、各画像データの各画素値を積算する積算手段と、前記積算手段により積算された、前記各画素値の積算値が所定の閾値を越えたか否かを判断する判断手段と、前記判断手段によりいずれかの画素の積算値が所定の閾値を越えたと判断された場合、スライドショー表示に用いる複数の画像データを他の画像データに入れ換える変更手段とを備えることを特徴とする画像表示装置である。
【０００９】
また、好ましい態様として、例えば請求項２記載のように、請求項１に記載の画像表示装置において、前記判断手段によりいずれかの画素の積算値が所定の閾値を越えたと判断された場合、前記算出手段により算出された、スライドショー表示される残りの画像データの各画素値に基づいて、該当画素の積算値が増加しないような画像データが存在するか否かを判断する画像有無判断手段を更に具備し、前記変更手段は、該当画素の積算値が所定の閾値を越えたと判断され、かつ、前記画像判断手段により該当画像の積算値が増加しないような画像データが存在しないと判断された場合に、前記記憶手段に記憶されている前記複数の画像データを他の画像データに入れ換えることを特徴とする。
【００１０】
また、好ましい態様として、例えば請求項３記載のように、請求項１または２に記載の画像表示装置において、前記変更手段は、前記記憶手段に記憶されている前記複数の画像データを他の画像データに入れ換えることに代えて、スライドショー表示される残りの画像データの順番を変更することを特徴とする。
【００１１】
また、好ましい態様として、例えば請求項４記載のように、請求項１または２に記載の画像表示装置において、前記変更手段は、前記記憶手段に記憶されている前記複数の画像データを他の画像データに入れ換えることに代えて、スライドショー表示される残りの画像データを切り替える際の切り替え効果を変更することを特徴とする。
【００１２】
また、好ましい態様として、例えば請求項５記載のように、請求項１または２に記載の画像表示装置において、前記変更手段は、前記記憶手段に記憶されている前記複数の画像データを他の画像データに入れ換えることに代えて、スライドショー表示における順番に、単色の画像データを挿入することを特徴とする。
【００１３】
また、好ましい態様として、例えば請求項６記載のように、請求項１ないし５のいずれかに記載の画像表示装置において、前記算出手段は、前記複数の画像データの各々を分割した領域毎に、前記複数の画像データの各々の画素値を算出し、前記積算手段は、前記表示制御手段により画像データが切り替えられる度に、前記分割された領域毎に、各画像データの画素値を積算し、前記判断手段は、前記分割された領域毎に、前記積算手段により積算された前記画素値の積算値が所定の閾値を越えたか否かを判断することを特徴とする。
【００１４】
また、好ましい態様として、例えば請求項７記載のように、請求項１ないし６のいずれかに記載の画像表示装置において、前記判断手段は、所定の閾値として、第１の閾値、第２の閾値（第１の閾値＞第２の閾値）を設け、前記分割された領域毎に、前記積算手段により積算された前記各画素値の積算値が第１の閾値を越えるか、第２の閾値以下になるかを判断し、前記変更手段は、前記判断手段により、前記分割された領域毎に、前記積算手段により積算された前記各画素値の積算値が前記第１の閾値を越えた場合、前記記憶手段に記憶されている前記複数の画像データを他の画像データに入れ換え、その後、前記第２の閾値以下になるまでは、スライドショー表示における画像データの入れ換えを継続し、前記第２の閾値以下になった時点で、前記入れ換えられた画像データをスライドショー表示対象として前記記憶手段に戻すことを特徴とする。
【００１５】
また、好ましい態様として、例えば請求項８記載のように、請求項１ないし７のいずれかに記載の画像表示装置において、スライドショー表示が開始されてからの経過時間を計時し、該経過時間が所定の時間範囲を超えた場合に、前記分割された領域毎の画素値の積算値をクリアするクリア手段を更に備えることを特徴とする。
【００１６】
また、上記目的達成のため、請求項９記載の発明は、複数の画像データを順次切り替えて表示部にスライドショー表示させる画像表示装置であって、前記複数の画像データの各々の各画素値を算出するステップと、前記複数の画像データを所定の順番で順次切り替えて前記表示部にスライドショー表示するステップと、前記スライドショー表示で画像データが切り替えられる度に、各画像データの各画素値を積算するステップと、前記各画素値の積算値が所定の閾値を越えたか否かを判断するステップと、いずれかの画素の積算値が所定の閾値を越えたと判断された場合、スライドショー表示に用いる複数の画像データを他の画像データに入れ換えるステップとを含むことを特徴とする画像表示方法である。
【００１７】
また、上記目的達成のため、請求項１０記載の発明は、複数の画像データを順次切り替えて表示部にスライドショー表示させる画像表示装置のコンピュータに、予め記憶部に記憶されている複数の画像データの各々の各画素値を算出する算出機能、前記複数の画像データを所定の順番で順次切り替えて前記表示部にスライドショー表示する表示制御機能、前記スライドショー表示で画像データが切り替えられる度に、各画像データの各画素値を積算する積算機能、前記各画素値の積算値が所定の閾値を越えたか否かを判断する判断機能、いずれかの画素の積算値が所定の閾値を越えたと判断された場合、スライドショー表示に用いる複数の画像データを他の画像データに入れ換える変更機能を実現させることを特徴とするプログラムである。
【発明の効果】
【００１８】
この発明によれば、スライドショー表示にどのような画像データが選択されても、より確実に焼き付き防止を実現することができるという利点が得られる。
【図面の簡単な説明】
【００１９】
【図１】本発明の実施形態による画像表示装置の構成を示すブロック図である。
【図２】本実施形態による画像表示装置での領域分割を説明するための概念図である。
【図３】本実施形態による画像表示装置の動作を説明するためのフローチャートである。
【発明を実施するための形態】
【００２０】
以下、本発明の実施の形態を、図面を参照して説明する。
【００２１】
Ａ．実施形態の構成
本実施形態による画像表示装置（例えば、デジタルフォトフレーム）は、ユーザにより選択された、あるいは自動選択した複数の画像データを、所定の時間間隔で、所定の切り替え動作でスライドショー表示する機能、該スライドショー表示において、画面上の同一領域に同じような色が表示されるのを防いで画面の焼き付きを防止する機能を備えている。なお、本実施形態では、スライドショー表示する対象を、画像データとしているが、該画像データは、デジタルカメラなどにより撮影された画像に加え、文字データや、グラフィックキャラクタデータなども含まれる。
【００２２】
図１は、本発明の実施形態による画像表示装置の構成を示すブロック図である。図において、操作部２は、電源キーや、各種動作などを指示するための機能キーなどからなる。なお、図示では、操作部２は、当該画像表示装置に設けられているが、これに限らず、別体として設けられたリモートコントローラ上に備えられていてもよい。
【００２３】
外部Ｉ／Ｆ３は、着脱可能な外部の記録媒体４との間でデータ送受信を行う。外部の記録媒体４は、画像データや、音楽ファイルなどが格納されている、各種メモリカードや、ＵＳＢメモリなどからなり、例えば、デジタルカメラで撮影した画像データが記憶されたメモリカードなどが含まれる。
【００２４】
ＲＯＭ５は、画像表示装置を動作させるための各種プログラムや、初期パラメータなどを記憶する。ＲＡＭ６は、画像表示装置の動作（プログラム実行）に伴う各種データや、各種パラメータなどを記憶する。内部の記録媒体７は、コンピュータなどの外部情報処理装置から転送された、あるいは、外部の記録媒体から転送された、スライドショー表示するための画像データや、音楽データなどを記憶する。
【００２５】
制御部８は、ＲＯＭ５のプログラムを実行し、内部の記録媒体７、あるいは外部の記録媒体４に記憶されている複数の画像データを、所定の時間間隔で表示部９にスライドショー表示したり、該スライドショー表示での画面の焼き付き防止を行うために、スライドショー表示に用いる画像データを入れ換えたりする。表示部９は、有機ＥＬＤや、プラズマディスプレイ、あるいは液晶（ＬＣＤ）などからなり、スライドショー表示での画像データ表示を行う。音声出力部１０は、スライドショー表示での音楽データの音声出力を行う。
【００２６】
図２は、本実施形態による画像表示装置で用いる領域分割を説明するための概念図である。本実施形態では、焼き付き防止動作として、まず、表示部９の画面全体に対して、図２に示すように、Ｎ×Ｍに分割した領域を考える。このとき、例えば、表示部９の画面が１６００×１２００ドットで構成されていたとすると、この分割数を８×６として縦横２００ドットの領域により、表示部９の画面を４８個に分割してもよいし、分割数を１６００×１２００とし、縦横１ドットの領域により、１９２００００個に分割してもよい。
【００２７】
本実施形態では、スライドショー表示に先だって、ユーザに選択された複数の画像データの各々の各領域の各色の値Ａ（画素値）を算出する。例えば、各色がＲＧＢで表現されている場合、値Ａ（画素値）は、ＲＧＢそれぞれの値ＡＲ、ＡＧ、ＡＢとなる。表示方法がＲＧＢ形式とは異なる場合には、その形式に沿った値を算出すればよい。また、その値Ａ（画素値）は、単純に各領域内に含まれる色毎の合計値ＡＳＵＭ（ＡＲＳＵＭ、ＡＧＳＵＭ、ＡＢＳＵＭ）でもよいし、色毎の平均値ＡＡＶＥ（ＡＲＡＶＥ、ＡＧＡＶＥ、ＡＢＡＶＥ）でもよいし、代表値ＡＲＥＰ（ＡＲＲＥＰ、ＡＧＲＥＰ、ＡＢＲＥＰ）や、中央値ＡＭＥＤ（ＡＲＭＥＤ、ＡＧＭＥＤ、ＡＢＭＥＤ）などでもよい。
【００２８】
また、本実施形態では、スライドショー表示の実行中に、画像データを切り替える度に、分割した領域毎に、表示した画像データの値Ａ（画素値）を積算していき、分割した領域のいずれかの領域において、値Ａ（画素値）の積算値が所定の閾値を越えると、その領域における値Ａ（画素値）の積算値の増加を抑えるように、あるいは減少するような値Ａを有する画像データが次に表示されるように、スライドショー表示に用いる画像データを入れ換えるようになっている。
【００２９】
例えば、スライドショー表示の実行中に、ある領域で、ＲＧＢのうち、Ｒの値ＡＲＳＵＭの積算値が所定の閾値を越えると、その領域における値ＡＳＵＭ（ＡＲＳＵＭ、ＡＧＳＵＭ、ＡＢＳＵＭ）の積算値の増加を抑えるように、あるいは減少するように、これ以降でスライドショー表示されるように、画像データを選択し直し、スライドショー表示に用いる画像データを入れ換える。
【００３０】
また、本実施形態では、画像データの選択時に、その領域におけるある色の値ＡＳＵＭができるだけ小さな値を有する画像データがない場合には、その領域におけるある色の値ＡＳＵＭができるだけ小さな値を有する（あるいは積算値が減少するような）切り替え効果（現在表示している画像データの消し方と次の画像データの表示の仕方）に変更したり、その領域におけるある色の値ＡＳＵＭができるだけ小さな値を有する（あるいは積算値が減少するような）単色の画像データに変換して挿入したりするようにしてもよい。
【００３１】
Ｂ．実施形態の動作
次に、上述した実施形態の動作について説明する。ここで、図３は、本実施形態による画像表示装置の動作を説明するためのフローチャートである。
【００３２】
まず、各種設定の履歴をリセットし（ステップＳ１０）、ユーザが選択したスライドショー表示予定の画像データから所定枚数をバッファに取り込む（ステップＳ１２）。次に、バッファに取り込まれた画像毎に、各領域のＲＧＢの値ＡＳＵＭ（ＡＲＳＵＭ、ＡＧＳＵＭ、ＡＢＳＵＭ）を算出し（ステップＳ１４）、スライドショー表示を実行するとともに、画像データを切り替える度に、分割した領域毎に、表示した画像データの値ＡＳＵＭ（ＡＲＳＵＭ、ＡＧＳＵＭ、ＡＢＳＵＭ）を積算し（ステップＳ１６）、分割した領域のいずれかの領域において、値ＡＳＵＭ（ＡＲＳＵＭ、ＡＧＳＵＭ、ＡＢＳＵＭ）の積算値が所定の閾値を越えたか否かを判断する（ステップＳ１８）。
【００３３】
そして、分割した領域のいずれかの領域において、値ＡＳＵＭ（ＡＲＳＵＭ、ＡＧＳＵＭ、ＡＢＳＵＭ）の積算値が所定の閾値を越えていない場合には、バッファが空か否かを判断する（ステップＳ２４）。そして、バッファが空でなければ、ステップＳ１６に戻り、スライドショー表示を継続する。一方、バッファが空であった場合には、ユーザが選択したスライドショー表示予定の画像データの最後であるか否かを判断する（ステップＳ２６）。そして、最後であれば、スライドショーを終了する。一方、最後でなければ、ステップＳ１２に戻り、バッファに新たに画像を読み込んでスライドショーを継続する。
【００３４】
一方、上述したスライドショー表示において、分割した領域のいずれかの領域において、値ＡＳＵＭ（ＡＲＳＵＭ、ＡＧＳＵＭ、ＡＢＳＵＭ）の積算値が所定の閾値を越えた場合には（ステップＳ１８のＹＥＳ）、閾値を超えた領域について、バッファ内の残りの画像データが積算値を減少させるのに足りるか否かを判断する（ステップＳ２０）。そして、画像データが足りる場合には、ユーザ操作などにより、スライドショー表示のリセット操作があったか否かを判断し（ステップＳ２２）、リセット操作がない場合には、ステップＳ２４に進み、上述したステップＳ２４以降の処理を実行する。
【００３５】
一方、上述したスライドショー表示において、分割した領域のいずれかの領域において、値ＡＳＵＭ（ＡＲＳＵＭ、ＡＧＳＵＭ、ＡＢＳＵＭ）の積算値が所定の閾値を越え、閾値を超えた領域について、バッファ内の残りの画像データが積算値を減少させるのに足りない場合には（ステップＳ２０のＮＯ）、ステップＳ１２に戻り、バッファをクリアして、バッファにまだ取り込まれていない画像群から所定枚数の画像を新たに取り込み、ステップＳ１４以下の動作を繰り返す。これを繰り返すことで、その領域における値ＡＳＵＭ（ＡＲＳＵＭ、ＡＧＳＵＭ、ＡＢＳＵＭ）の積算値の増加を抑えるように、あるいは減少するように、値ＡＳＵＭが小さな画像データが選択し直され、スライドショー表示の順番が設定される。
【００３６】
また、上述したスライドショー表示において、リセット操作があった場合には（ステップＳ２２のＹＥＳ）、ステップＳ１０に戻り、上述したステップＳ１０〜Ｓ２２の動作を繰り返す。
【００３７】
上述した実施形態によれば、スライドショー表示する複数の画像データに対して、予め、表示すべき複数の画像データの各々を複数の領域に分割し、各領域の画素値を算出しておき、スライドショー表示する際に、画像データが切り替えられる度に、各領域の画素値を積算し、該積算値が所定の閾値を越えた場合、各領域で同様な色合いの画像データが表示されないように、スライドショー表示に用いる画像データを入れ換えるようにしたので、どのような画像がスライドショー表示に選択されていても、より確実に焼き付き防止を実現することができる。
【００３８】
なお、上述した実施形態においては、所定の閾値として１つの閾値を設けることとしたが、所定の閾値として、第１の閾値、第２の閾値（第１の閾値＞第２の閾値）を設け、第１の閾値を越えると、上述したように、スライドショー表示に用いる画像データを入れ換え、第２の閾値以下になった時点で、入れ換えによりスキップされた画像データをスライドショー表示対象としてバッファに戻して、スライドショー表示するようにしても良い。これにより、元の表示順に、より近いスライドショー表示を行うことができる。
【００３９】
また、ある領域における値Ａの積算値が所定の閾値を越えるか否かを判定する際に、所定の時間範囲を設定しておき、該所定の時間範囲を越えた場合には、値Ａの積算値をクリア（＝０）するようにしてもよい。つまり、所定の時間範囲を例えば１０分間とした場合、スライドショー表示が１０分間経過するまでに、ある領域における値Ａの積算値が所定の閾値を越えていなければ、十分に焼き付き防止可能であると判断し、値Ａの積算値をクリア（＝０）する。これにより、スライドショー表示に用いる画像データを入れ換える頻度を少なくすることができる。
【００４０】
また、全画素において、例えば、色の階調が２５５段階であった場合、階調を１６分割（０〜１５、１６〜３１、…、２４０〜２５５）、あるいは、隣接区分が重なるように、（０〜３１、１６〜４７、…、２４４〜２５５）と分割し、同一の領域で他の色と比べ、同じ範囲より多ければ＋１、少なければ−１、範囲内であれば０とし、各画素の積算値を算出するようにしてもよい。例えば、Ｒ２３０、Ｇ１３、Ｂ１０の場合には、Ｒは１＋１＝２、Ｇは−１＋０＝−１、Ｂは−１＋０＝−１となる。こうすることで、微妙な差を無視しつつ、大きな差が生じた場合にのみ、スライドショー表示に用いる画像データを入れ換えることが可能となる。また、増減値を＋１、−１としたが、これに限らず、例えば、Ｒ＝（２３０−１３）＋（２３０−１０）＝４３７、Ｇ＝−２１７、Ｂ＝−２２０としてもよい。
【００４１】
また、スライドショー表示する際に、バッファに取り込まれた画像データが切り替えられる度に、各領域の画素値を積算し、該積算値が所定の閾値を越えた場合、各領域で同様な色合いの画像データが表示されないように、スライドショー表示に用いるバッファ内の画像データを入れ換えるようにしたが、バッファ内の残りの画像データの順番を変更するようにしてもよい。
【００４２】
また、画像表示装置として、画像データをスライドショー表示するデジタルフォトフレームを例に説明したが、これに限らず、デジタルカメラのようなスライドショー機能を備える機器であれば、他のいかなる電子機器であってもよい。
【符号の説明】
【００４３】
２  操作部
３  外部Ｉ／Ｆ
４  外部の記録媒体
５  ＲＯＭ
６  ＲＡＭ
７  内部の記録媒体
８  制御部
９  表示部
１０  音声出力部
【図１】
2011128505.tif 000003
【図２】
2011128505.tif 000004
【図３】
2011128505.tif 000005